(57)【要約】【課題】空気調和機において、ユーザーが酸素・水富化装置のエアフィルターの洗浄や交換を容易に視認できるようにする。【解決手段】空気調和機２０は、室内熱交換器３、４及び室内ファン５を有する室内ユニット１と、室外熱交換器１０、送風ファン９及び酸素・水富化装置３１を有する室外ユニット７とを備える。さらに、空気調和機２０は、酸素・水富化装置３１の吸い込み側に配設したエアフィルター６１と、エアフィルター６１の洗浄又は交換に関する情報を表示する表示部６１ａ、１４、１０１とを備え、表示部６１ａ、１４、１０１を空気調和機の外部から目視できる位置に設けている。【選択図】  図１
2004218961.tif 000002
【特許請求の範囲】
【請求項１】
室内熱交換器及び室内ファンを有する室内ユニットと、室外熱交換器、送風ファン及び酸素・水富化装置を有する室外ユニットとを備えた空気調和機において、
酸素・水富化装置の吸い込み側に配設したエアフィルターと、前記エアフィルターの洗浄又は交換に関する情報を表示する表示部とを備え、前記表示部を外部から目視できる位置に設けたことを特徴とする空気調和機。
【請求項２】
前記エアフィルターに取手部を形成し、この取手部を室外ユニットの外面より実質的に突出しないように設けたことを特徴とする請求項１に記載の空気調和機。
【請求項３】
前記エアフィルターのフィルター面を金属製又は耐候性樹脂で網状に形成したことを特徴とする請求項１または２記載の空気調和機。
【請求項４】
前記エアフィルターのフィルター面を山形形状またはひだ織り形状にして表面積を拡大したことを特徴とする請求項１から３の何れかに記載の空気調和機。
【請求項５】
前記エアフィルターのフィルター面を前面及び隣接するその他の面からなる複数面で形成して空気流通面積を拡大したことを特徴とする請求項１から４の何れかに記載の空気調和機。
【請求項６】
室内熱交換器及び室内ファンを有する室内ユニットと、室外熱交換器、送風ファン及び酸素・水富化装置を有する室外ユニットとを備えた空気調和機において、
前記酸素・水富化装置の吸い込み側に配設したエアフィルターと、前記酸素・水富化装置の利用状態に基づいて前記エアフィルターの洗浄又は交換の必要時期を算出する制御装置と、前記制御装置で算出した必要時期を前記室内ユニット及び運転用リモコンの少なくとも何れかに表示する表示部とを備えたことを特徴とする空気調和機。
【請求項７】
前記エアフィルターの洗浄又は交換の必要時期を表示する表示部を前記室内ユニットの表示灯及び運転用リモコンの液晶表示部の少なくとも何れかに備えたことを特徴とする請求項６に記載の空気調和機。
【請求項８】
前記酸素・水富化膜内に室外空気を吸引する減圧ポンプを備え、前記減圧ポンプの運転積算時間に基づいて前記エアフィルターの洗浄又は交換の必要時期を前記制御装置で算出して前記表示部に表示することを特徴とする請求項６又は７に記載の空気調和機。
【請求項９】
前記酸素・水富化装置に通風する前記送風ファンの運転積算時間に基づいて前記エアフィルターの洗浄又は交換の必要時期を前記制御装置で算出して前記表示部に表示することを特徴とする請求項６又は７に記載の空気調和機。
【請求項１０】
前記酸素・水富化膜内に室外空気を吸引する減圧ポンプを備え、前記減圧ポンプの運転積算時間、前記酸素・水富化装置に通風する前記送風ファンの運転積算時間及び予め設定した所定時間のいずれか短い方を基準として前記エアフィルターの洗浄又は交換の必要時期を前記制御装置で算出して前記表示部に表示することを特徴とする請求項６又は７に記載の空気調和機。
【請求項１１】
室内熱交換器及び室内ファンを有する室内ユニットと、室外熱交換器、送風ファン及び酸素・水富化装置を有する室外ユニットと、前記酸素・水富化装置から前記室内ユニットに酸素富化空気を供給する酸素供給パイプとを備えた空気調和機において、
前記室内ファンの運転に実質的に同期して前記酸素・水富化装置を運転するように制御する制御装置を備えたことを特徴とする空気調和機。
【請求項１２】
室内熱交換器及び室内ファンを有する室内ユニットと、室外熱交換器、送風ファン及び酸素・水富化装置を有する室外ユニットと、前記酸素・水富化装置から前記室内ユニットに酸素富化空気を供給する酸素供給パイプとを備えた空気調和機において、
前記室内ユニットに導かれた前記酸素供給パイプを前記室内ユニット内で切替弁を介して複数の吐出部に分岐し、前記分岐された複数の吐出部を前記室内ユニットの異なる位置に開口させたことを特徴とする空気調和機。
【請求項１３】
強制スイッチの設定に基づいて前記切替弁の切替え位置を制御する制御装置を備えたことを特徴とする請求項１２に記載の空気調和機。
【請求項１４】
室内熱交換器及び室内ファンを有する室内ユニットと、室外熱交換器、送風ファン及び酸素・水富化装置を有する室外ユニットと、前記酸素・水富化装置から前記室内ユニットに酸素富化空気を供給する酸素供給パイプとを備えた空気調和機において、
前記酸素供給パイプの吐出口を前記室内ユニット内で前記室内熱交換器の吸込み側に位置して設けたことを特徴とする空気調和機。
【請求項１５】
室内熱交換器及び室内ファンを有する室内ユニットと、室外熱交換器、送風ファン及び酸素・水富化装置を有する室外ユニットと、前記酸素・水富化装置から前記室内ユニットに酸素富化空気を供給する酸素供給パイプとを備えた空気調和機において、
前記酸素供給パイプの吐出口を前記室内ユニットの通風路を除く部分の外面に開口して設けたことを特徴とする空気調和機。
【請求項１６】
前記酸素供給パイプの吐出口に連通する継パイプを係脱可能に備えたことを特徴とする請求項１５に記載の空気調和機。
【請求項１７】
酸素・水富化装置を室外ユニット内で前記室外熱交換器に通風する室外ファンと前記室内熱交換器との間の通風路中に設置したことを特徴とする請求項１から請求項１６の何れかに記載の空気調和機。
【発明の詳細な説明】
【０００１】
【発明の属する技術分野】
本発明は、酸素・水富化装置を備えた空気調和機に関する。
【０００２】
【従来の技術】
従来の酸素富化装置を備えた空気調和機としては、特開平５−９９４５７号公報（特許文献１）に示されているように、室外ユニットと独立した酸素富化ユニットの中に、酸素富化膜、吸引エアーポンプ、送風ファン及びエアフィルター等を備え、この酸素富化ユニットで生成した酸素富化空気を室内へ供給するようにしたものがある。
【０００３】
また、他の従来の酸素・水富化装置を備えた空気調和機としては、特開２００２−３９５６９号公報（特許文献２）に示されているように、空気中の酸素分子および水分子を優先的に通過させる酸素・水富化膜ユニットと、この酸素・水富化膜ユニットを介して空気を吸引すると共に、吸引により得られた酸素・水富化空気を加温する減圧ポンプとを室外ユニットに内蔵しており、減圧ポンプから排気された酸素・水富化空気が室内供給配管を通って室内に供給される。そして、酸素・水富化膜ユニットの入口側にはエアフィルターが設けられ、出口側にはファンが設けられている。
【０００４】
【特許文献１】
特開平５−９９４５７号公報
【特許文献２】
特開２００２−３９５６９号公報
【０００５】
【発明が解決しようとする課題】
前記特許文献１には、酸素富化ユニットにエアフィルターを設置することが開示されていない。このため、特許文献１では、酸素富化膜の表面に空気中の塵埃等が付着しやすく、経年劣化をきたすのみでなく、気体分子の溶解速度に異状をきたし、所定の目標性能が満足されないこととなるおそれがあった。
【０００６】
また、前記特許文献２には、酸素・水富化膜ユニットの入口側にエアフィルターが設けられているが、酸素・水富化膜の経年劣化防止のためのエアフィルターの洗浄や交換に対する考慮がなされていなかった。このため、特許文献２では、エアフィルターが目詰まりし、酸素・水富化膜ユニットの性能が低下しても気づかずに酸素・水富化膜ユニットの運転をする可能性の高いものであった。
【０００７】
さらには、特許文献１、２には、酸素富化ユニットや酸素・水富化膜ユニットの有効な運転制御については考慮されていなかった。
【０００８】
本発明の目的は、ユーザーが酸素・水富化装置のエアフィルターの洗浄や交換に関する情報を容易に確認することができる空気調和機を提供することにある。
本発明の他の目的は、ユーザーが酸素・水富化装置のエアフィルターの洗浄や交換に必要な時期を室内側から容易に確認することができる空気調和機を提供することにある。
本発明の他の目的は、安価な構成で酸素・水富化装置の運転を良好に制御できる空気調和機を提供することにある。
本発明の他の目的は、酸素・水富化装置の酸素富化空気を利用目的に合わせて供給できる空気調和機を提供することにある。
本発明の他の目的は、冷房運転及び暖房運転のそれぞれに適した酸素富化空気の供給ができる空気調和機を提供することにある。
なお、本発明のその他の目的と有利点は以下の記述から明らかにされる。
【０００９】
【課題を解決するための手段】
上記目的を達成するために、本発明は、室内熱交換器及び室内ファンを有する室内ユニットと、室外熱交換器、送風ファン及び酸素・水富化装置を有する室外ユニットとを備えた空気調和機において、酸素・水富化装置の吸い込み側に配設したエアフィルターと、前記エアフィルターの洗浄又は交換に関する情報を表示する表示部とを備え、前記表示部を外部から目視できる位置に設けた構成としている。
また、本発明は、室内熱交換器及び室内ファンを有する室内ユニットと、室外熱交換器、送風ファン及び酸素・水富化装置を有する室外ユニットとを備えた空気調和機において、酸素・水富化装置の吸い込み側に配設したエアフィルターと、前記酸素・水富化装置の利用状態に基づいて前記エアフィルターの洗浄又は交換の必要時期を算出する制御装置と、前記制御装置で算出した必要時期を前記室内ユニット及び運転用リモコンの少なくとも何れかに表示する表示部とを備えた構成としている。
また、本発明は、室内熱交換器及び室内ファンを有する室内ユニットと、室外熱交換器、送風ファン及び酸素・水富化装置を有する室外ユニットと、前記酸素・水富化装置から前記室内ユニットに酸素富化空気を供給する酸素供給パイプとを備えた空気調和機において、前記室内ファンの運転に実質的に同期して前記酸素・水富化装置を運転するように制御する制御装置を備えている。
また、本発明は、室内熱交換器及び室内ファンを有する室内ユニットと、室外熱交換器、送風ファン及び酸素・水富化装置を有する室外ユニットと、前記酸素・水富化装置から前記室内ユニットに酸素富化空気を供給する酸素供給パイプとを備えた空気調和機において、前記室内ユニットに導かれた前記酸素供給パイプを前記室内ユニット内で切替弁を介して複数の吐出部に分岐し、前記分岐された複数の吐出部を前記室内ユニットの異なる位置に開口させた構成としている。
また、本発明は、室内熱交換器及び室内ファンを有する室内ユニットと、室外熱交換器、送風ファン及び酸素・水富化装置を有する室外ユニットと、前記酸素・水富化装置から前記室内ユニットに酸素富化空気を供給する酸素供給パイプとを備えた空気調和機において、前記酸素供給パイプの吐出口を前記室内ユニット内で前記室内熱交換器の吸込み側に位置して設けた構成としている。
なお、本発明のその他の手段は以下の記述から明らかにされる。
【００１０】
【発明の実施の形態】
以下、本発明の空気調和機の幾つかの実施例を図に基づいて説明する。各実施例の図における同一符号は同一物または相当物を示す。
【００１１】
本発明の空気調和機の第１の実施例を図１〜図１３に基づいて説明する。
【００１２】
本実施例の空気調和機２０の全体構成について図１を参照しながら説明する。
【００１３】
空気調和機２０は、壁２の室内側に設置される室内ユニット１と、壁２の室外側に設置される室外ユニット７と、この両者間を接続する冷媒配管１１、ドレンパイプ１２及び酸素供給パイプ４６とを備えて構成されている。室内ユニット１は室外ユニット７と離れた場所に一般に配置され、室内ユニット１が配置された室内からは一般に室外ユニット７を容易に視認することができないことが多い。空気調和機２０は、冷房運転、暖房運転、酸素富化運転等が可能である。
【００１４】
室内ユニット１は、複数の室内熱交換器３、４と、貫流ファンで構成される室内ファン５と、ドレン受け６と、切替弁４７と、複数の酸素吐出部４８ａ、４８ｂと、これらを収納する室内キャビネット２１とを備えて構成されている。室内ユニット１は一般に壁２の室内側高所に配置される。
【００１５】
室内キャビネット２１には、吸込口２１ａ及び吹出口２１ｂが上下に位置して形成されている。室内空気は、室内ファン５が回転することによって、吸込口２１ａから吸込まれ、室内熱交換器３、４及び室内ファン５を通り、吹出口２１ｂから吹出される。
【００１６】
室内熱交換器３、４は、プレートフィン形熱交換器で構成され、プレートフィンが一体的に形成または分離して形成された複数の熱交換部で構成されている。複数の室内熱交換器３、４は、室内ファン５の吸込側に配置されると共に、室内空気の流れに対して並列に配置される。室内熱交換器３、４は、冷凍サイクルの一部を構成し、冷凍サイクルが動作することにより冷却または加熱され、通風される室内空気を冷却または加熱する。これによって、室内の冷房や暖房などが行なわれる。つまり、室内を冷房する場合は室内熱交換器３、４は冷却器として働き、室内を暖房する場合は室内熱交換器３、４は凝縮器として働かせている。
【００１７】
なお、冷凍サイクルは、圧縮機８、三方弁１１４（図１２参照）、室外熱交換器１０、減圧装置、室内熱交換器３、４等を、冷媒配管を介して接続されて構成されている。圧縮機８、三方弁１１４、室外熱交換器１０、減圧装置は室外ユニット７に内蔵され、室内熱交換器３、４は室内ユニット１に内蔵され、室外ユニット７と室内ユニット１の間は冷媒配管１１を介して接続されている。
【００１８】
室内ファン５は、室内空気を、室内ユニット１の吸込口１ａから室内熱交換器３、４の順に通して吸込み、室内ユニット１の吹出口１ｂより吹出すように動作する。
【００１９】
ドレン受け６は、室内熱交換器３、４の下方に配置されると共に、ドレンパイプ１２を接続している。ドレン受け６は、室内熱交換器３、４から滴下する水滴を受け、ドレンパイプ１２を通して水滴を室外側に排出するように機能する。
【００２０】
切替弁４７は、酸素供給パイプ４６で送られてきた酸素濃度及び湿度の高い空気を室内ユニット１内の複数の箇所に配送するための弁であり、一側に酸素供給パイプ４６が接続され、他側に複数の酸素吐出部４８ａ、４８ｂが接続されている。酸素供給パイプ４６は、切替弁４７の切替え動作により、各酸素吐出部４８ａ、４８ｂと切替えて連通される。
【００２１】
酸素吐出部４８ａは室内ファン５の通風路に開口して設置されている。具体的には、酸素吐出部４８ａの開口は室内熱交換器３の吸込み側に位置され、酸素吐出部４８ａから吐出される水分及び酸素含有率の高い空気が主に室内熱交換器３を通して室内に供給される。従って、室内熱交換器３、４を冷却器とし運転する冷房運転の場合は、酸素吐出部４８ａより吐出された酸素富化空気中の水分が低温である室内熱交換器３に付着されて除去され、酸素濃度の高い乾燥した酸素富化空気のみが室内に吐出されるように構成されている。これによって、快適な冷房運転を行なうことができる。
【００２２】
酸素吐出部４８ｂは、室内熱交換器３、４の吸込側通風路以外の部分の室内ユニット１の外面（例えば電気品室の外面）に開口して設置されている。これによって、室内熱交換器３、４を凝縮器として運転する場合は、吐出口４８ｂより酸素とともに吐出された空気中の水分は、室内熱交換器３、４に付着することなく、そのまま室内に吐出されて、室内の加湿に役立つように構成されている。これによって、快適な暖房運転を行なうことができる。
【００２３】
室外ユニット７は、圧縮機８と、送風ファン９と、熱交換器１０と、酸素・水富化装置３１と、減圧ポンプ４４と、これらを収納する室外キャビネット２２とを備えて構成されている。
【００２４】
送風ファン９は室外空気を熱交換器１０及び酸素・水富化装置３１を通して通風するように設けられている。熱交換器１０は冷媒配管１１及び減圧装置を介して室内熱交換器３、４と接続されている。
【００２５】
酸素・水富化装置３１は室外ユニットの熱交換器１０と送風ファン９との間の通風路に設置され、酸素・水富化装置３１内の余剰窒素を除去できるように構成されている。酸素・水富化装置３１は酸素供給パイプ４６及び切替弁４７を介して酸素吐出部４８ａ、４８ｂに接続され、酸素濃度を高めた空気を酸素吐出部４８ａ、４８ｂから室内に供給できるようになっている。
【００２６】
減圧ポンプ４４は、酸素・水富化装置３１の酸素・水富化膜３６（図６参照）に酸素が溶解する速度を速くさせると共に、酸素濃度の高まった酸素富化空気を室内ユニット１に供給するために設けられている。減圧ポンプ４４は酸素・水富化装置３１と酸素供給パイプ４６との間に接続されている。
【００２７】
循環ファン４５は、酸素・水富化膜３６で生成した酸素濃度の高まった酸素富化空気を室内ユニット１に供給するために、減圧ポンプ４４の補助として酸素供給パイプ４６の途中に設置されている。この循環ファン４５を設けることによって、酸素供給パイプ４６を長くしたり、酸素供給パイプ４６を細径化したりすることが容易にできる。なお、減圧ポンプ４４の送風容量が十分に大きい場合は、循環ファン４５は省略してもよい。
【００２８】
酸素供給パイプ４６は、酸素富化空気を酸素・水富化装置３１から酸素吐出部４８ａ、４８ｂへ導くためのものであり、具体的には減圧ポンプ４４と切替弁４７との間に設けられている。また、酸素供給パイプ４６は、室外ユニット７の近辺でドレンパイプ１２内に挿入され、ドレンパイプ１２とともに室内ユニット１内に入り、室内ユニット１内でドレンパイプ１２内から離脱して切替弁４７に接続されている。これによって、酸素吐出口１６及び酸素供給パイプ４６の取り扱い性と収納性が良好なものとなっている。
【００２９】
図２及び図３を参照しながら切替弁４７より分岐した酸素吐出部４８ｂによる酸素富化空気の室内への供給に関して説明する。
【００３０】
酸素吐出部４８ｂは室内ユニット１内でその他の空気と混合しないようにしながら酸素吐出口１６に直接接続されている。酸素吐出口１６は、図２に示すように、室内ユニット１の外面から突出するように形成されると共に、継パイプ係合部が形成されている。その用途により、室内ユニット１自身の設置された室内の任意の位置まで酸素を供給できる継パイプ５０が着脱可能に設置される。継パイプ５０は長尺で可橈性を有している。従って、室内の任意の位置で、継パイプ５０の先端開口５０ｂより、酸素・水富化装置で生成した酸素濃度の向上した酸素富化空気を浴びられるように、あるいは、吸えるように構成されている。
【００３１】
室内ユニット１内の一部（具体的には電気品室２１ｃ）には、図４に示すように、制御箱１３が内蔵されている。制御箱１３は、室外ユニット７内の制御箱（図示せず）と相俟って制御装置１２０（図１２参照）を構成している。電気品室２１ｃ内には室内熱交換器３、４を設置することが難しいため、電気品室２１ｃ内が有効利用されていないことが多い。そこで、電気品室２１ｃの有効活用のために、電気品室２１ｃの外面に酸素吐出口１６が設置されると共に、電気品室２１ｃ内に酸素吐出部４８及び切替弁４７が配置されている。また、酸素吐出口１６近辺に、表示灯で構成される表示部１４および酸素スイッチ１５が設置されると共に、エアフィルター６１（図６参照）の洗浄又は交換の必要性を表示する表示部１７が設置されている。酸素富化空気の供給に係る部分及び機器を集中させることにより、ユーザーの使い勝手を良好なものとすることができる。特に、酸素吐出口１６と表示部１４とを隣接して配置することにより、表示部１４が酸素富化空気供給に係るもの（即ち、酸素・水富化装置３１のエアフィルター６１に係るもの）として容易に認識でき、この点からも使い勝手の良好なものとなっている。
【００３２】
次に、図４及び図５を参照しながら室外ユニット７に関して説明する。室外ユニット７の上面には、図４に示すように、エアフィルター６１の洗浄又は交換に関する情報を表示する表示７１が設置されている。また、熱交換器１０が略コ字状に形成されており、熱交換器１０と送風ファン９との間のデッドスペースに酸素・水富化装置３１が設置されている。これによって、酸素・水富化装置３１を設置しても室外ユニット７のコンパクト化は阻害されない。
【００３３】
次に、図６及び図７を参照しながら酸素・水富化膜ユニット３１に関して説明する。
【００３４】
酸素・水富化装置３１は、矩形筒状の酸素・水富化膜支持箱３２と、酸素・水富化膜支持箱３２に収納された酸素・水富化膜ユニット３５と、減圧ポンプ４４と、酸素・水富化膜支持箱３２の前面開口吸込み部４１部に着脱可能に配置されたエアフィルター装置６０とを備えて構成されている。酸素・水富化膜支持箱３２は送風ファン９による通風方向の前後面で開口されている。室外空気は、送風ファン９の回転により、酸素・水富化膜支持箱３２の前面開口吸い込み部４１から吸込まれ、酸素・水富化膜ユニット３５を通り、さらには後面開口吐出し部４２から排出される。
【００３５】
酸素・水富化膜ユニット３５は、酸素・水富化膜３６と、この酸素・水富化膜３６を支持する多孔質支持板３７と、空隙４０と、酸素供給パイプ４３とを備えて構成されている。酸素・水富化膜ユニット３５は、酸素・水富化膜支持箱３２の前面開口吸い込み部４１より吸い込んだ空気の酸素濃度を高めて、酸素供給パイプ４３内に送るようになっている。
【００３６】
酸素・水富化膜３６はシリコン系又はフッ素系等の高分子を用いた膜である。空気中の気体分子の分離は酸素・水富化膜３６への気体分子の種類による膜の分子間を通る速度、すなわち溶解速度の差により行なわれる。酸素分子３９の酸素・水富化膜３６への溶解速度は窒素分子３８の約２・５倍であり、空気中の酸素分子３９を窒素分子３８よりも優先的に通すため、減圧ポンプ４４により強制的に酸素・水富化膜３６を通過させることで、図７に示すように酸素・水富化膜３６内に酸素含有率を高めた気体を得る事が出来る。本実施例の構成によれば、酸素濃度が約２５％から４０％の空気を得る事が出来る。一方、窒素分子３８は膜の分子間を通る速度、すなわち溶解速度が遅いため酸素・水富化膜３６の外の空隙４０に滞留する。空隙４０に滞留した窒素分子３８は送風フアン９により吸引排気される。また、酸素・水富化膜３６への空気中の水分子の溶解速度は酸素分子よりも速いため、酸素・水富化膜３６を通過した後の空気の湿度はほぼ１００％となる。
【００３７】
酸素供給パイプ４３は、その一側が酸素・水富化膜３６内の空間と連通して接続され、その他側が集約されて減圧ポンプ４４に接続されている。これによって、酸素・水富化膜３６内へ取り込まれた湿度及び酸素濃度の高い空気は、酸素供給パイプ４３を介して減圧ポンプ４４に吸引され、さらに酸素供給パイプ４６を通して室内ユニット１に供給される。
【００３８】
次に、図６、図８から図１１を参照しながらエアフィルター装置６０に関して説明する。
【００３９】
酸素・水富化装置３１は、酸素・水富化膜３６への気体分子の溶解速度を利用するものであるため、酸素・水富化膜３６の表面に空気中の塵埃等が付着すると、経年劣化をきたすのみでなく、気体分子の溶解速度に異状をきたし、所定の目標性能が満足されないこととなる。そこで、酸素・水富化膜ユニット３５の吸い込み側にエアフィルター装置６０が設置されている。
【００４０】
エアフィルター装置６０は、図６に示すように、エアフィルター６１、エアフィルター支持部３３及び係止具６８を備えて構成されている。エアフィルター６１は、図８に示すように、表示部６１ａ、取手部６１ｂ、フィルター枠６２、フィルター面を構成するフィルター網６３を備えて構成されている。フィルター網６３は、図９に示すように、金属製又は耐候性樹脂製で網状に形成した山形網６５および平面網６４、６６にて構成され、フィルター枠６２内の全面に設けられている。山形網６５はひだ織り網であってもよい。
【００４１】
エアフィルター６１は、図６及び図１０に示すように、酸素・水富化膜支持箱３２のエアフィルター支持部３３に係止具６８により着脱可能に保持されている。エアフィルター６１は、酸素・水富化膜支持箱３２の前面開口部をフィルター枠６２、フィルター網６３で塞ぐように装着される。フィルター枠６２にて酸素・水富化膜支持箱３２に着脱可能に取付け、前記フィルター枠６２内の全面に設けられたフィルター網６３で空気中の塵埃を通過させず、空気中の気体分子のみ通過可能に閉塞している。また、フィルター網６３は、付着したごみ・ほこり等を水または中性洗剤などで除去して繰り返し使用できるように構成されている。
【００４２】
エアフィルター６１のエアフィルター支持部３３への係止例としては、図１０及び図１１に示すように、フィルター枠６２の留め部６７を係止具６８のバネ７０で開閉可能に保持された爪部６９により、着脱可能に保持させてある。エアフィルター６１の表示部６１ａを押すたびに、係止状態（図１０の状態）と離脱状態（図１１の状態）を繰り返す構成にしてある。従って、図６の係止状態を示す実線で表したエアフィルター６１の表示部６１ａを一回押すと、図１１に示す離脱状態となって図６の点線で表した状態となり、エアフィルター６１の取手部６１ｂを掴んで容易に取り出すことが出来る構成にしてある。エアフィルター６１に付着したごみ・ほこり等を水または中性洗剤などで除去した後、あるいは、新しいエアフィルター６１に交換後、図６の実線で表した状態にするには、図６の点線で表した状態からエアフィルター６１の表示部６１ａを押せば、図１１に示す離脱状態から図１０の係止状態となる。
【００４３】
エアフィルター６１の頭部である表示部６１ａは、図６に示すように、室外キャビネット２２より出っ張らないように構成されている。また、室外キャビネット２２の外部から容易に目視できる位置に表示部７１が設置されている。室外ユニット７の表示部７１およびエアフィルター６１の表示部６１ａには、エアフィルター６１の洗浄又は交換の必要性および交換方法を容易に消えない方法で明記してある。
【００４４】
なお、エアフィルター６１の洗浄又は交換の必要な時期は表示部１７（図３参照）あるいは運転用リモコン１００に明記してある。また、エアフィルター６１の洗浄又は交換の必要な時期がきたら、表示部１４の点滅やリモコン１００の液晶表示部１０１の表示等によりユーザーの注意を喚起するように構成してある。
【００４５】
次に、図１２を参照しながら空気調和機２０の運転制御に関して説明する。
【００４６】
空気調和機の運転について説明する。空気調和機の運転開始スイッチである運転スイッチ１０４を押すことにより、室温検知手段１０５の情報を基に、制御手段１０９が冷房運転か暖房運転かを判断し、駆動手段１１１により三方弁１１４を制御し、駆動手段１１０により圧縮機８等を回転始動させる。例えば、冷房運転の場合は、室内熱交換器３、４が所定の温度に達すると、室内ファン５が運転を開始して室内を冷房し始め、所定の温度管理を行なえるように圧縮機８や各種ファン５、９の回転数や運転時間を制御し、運転感知手段１０６や運転時間カウント手段１０７あるいは運転回転数検知手段１０８がそれらの情報を積算手段１１２に保持する。
【００４７】
酸素富化運転について説明する。酸素スイッチ１５は室内ユニット１に設置された酸素富化運転開始スイッチであり、酸素スイッチ１０２はリモコンに設置された酸素富化運転開始スイッチである。酸素スイッチ１５あるいは酸素スイッチ１０２がオンの場合は、室内ファン５のオン・オフに実質的に同期して、酸素富化運転がオン・オフする。つまり、室内ファン５の運転・停止と、酸素・水富化装置３１に係るの減圧ポンプ４４および循環フアン４５の運転・停止を実質的に同期させるように制御している。ここで、切替弁４７は冷房運転のときは吐出口４８ａに酸素濃度及び湿度の高い空気を供給できるように（切り替わるように）構成されている。また、酸素スイッチ１５あるいは酸素スイッチ１０２がオンの場合で、暖房運転の場合は、切替弁４７が切り替わって、吐出口４８ｂに酸素濃度及び湿度の高い空気を供給できるように構成されている。
【００４８】
そして、酸素スイッチ１５あるいは酸素スイッチ１０２がオフの場合は、室内ファン５のオン・オフに関係なく、酸素富化運転はオフとする。つまり、減圧ポンプ４４および循環フアン４５を停止させて省エネを計れるように構成してある。
【００４９】
酸素スイッチ１０３は、酸素富化運転の強制運転開始スイッチであり、しかも、吐出口を任意に選定できる強制運転開始スイッチである。例えば、酸素スイッチ１０３を４段階スイッチとした場合は、一段階オンを酸素吐出口１６のみへの強制吐出に設定して、二段階オンを酸素吐出口１６と酸素吐出口４８ａへの同時強制吐出に設定し、三段階オンを酸素吐出口４８ａのみへの強制吐出に設定して、四段階オンを酸素吐出口４８ｂのみへの強制吐出に設定する。これによって、ユーザーが酸素濃度及び湿度の高い空気を任意な時に任意の場所に供給できるように構成されている。
【００５０】
なお、空気調和機が運転オフ時でも、酸素スイッチ１０３の一段階オンを酸素吐出口１６のみへの強制吐出に設定しておくことにより、酸素富化運転を単独で行なうことができ、室内で利用することができるのみならず、販売店での店頭展示時などの利用価値を向上させることができる。
【００５１】
また、室内ファン５のオン・オフのかわりに、室内ファン５の運転積算時間を積算手段１１２より呼びだして、前記運転積算時間を基準とした運転制御時間を算出決定して、酸素富化運転を制御するようにしても同様の効果の生ずる。
【００５２】
エアフィルター６１の洗浄又は交換の必要な時期を決定する方法について説明する。酸素・水富化膜３６の吸い込み側に設置したエアフィルター６１の表面に付着する空気中の塵埃量は、大別して、次の三点に比例する。一点目は減圧ポンプ４４の運転積算時間であり、二点目は送風ファン９の運転積算時間であり、三点目は所定の経過時間である。
【００５３】
一般的には一点目の減圧ポンプ４４の運転積算時間に比例して塵埃量が決まるので、積算手段１１２で減圧ポンプ４４の運転積算時間を積算し、所定の時間経過後、制御手段１０９の判断決定により、表示手段１１３を経て室内ユニット１の表示部１４を点滅等にして利用者の注意を喚起する。これによって、室外ユニット７に設置された酸素・水富化装置３１の洗浄又は交換の必要な時期を室内にいるユーザーが容易に知ることができる。
【００５４】
また、塵埃の多いところに室外ユニット７が設置される場合は、二点目の送風ファン９の運転積算時間で判断させて、表示手段１１３を経て室内ユニット１の表示部１４を点滅等にして利用者の注意を喚起する。これによって、室外ユニット７に設置された酸素・水富化装置３１の洗浄又は交換の必要な時期をより一層適切に室内にいるユーザーが容易に知ることができる。
【００５５】
さらには、空気調和機自身をあまり運転させない環境のとき、つまり、春季や秋季のときは、三点目の所定の経過時間がきたら、制御手段１０９の判断決定により、表示手段１１３を経て室内ユニット１の表示部１４を点滅等にして利用者の注意を喚起する。これによって、室外ユニット７に設置された酸素・水富化装置３１の洗浄又は交換の必要な時期をより一層適切に室内にいるユーザーが容易に知ることができる。
【００５６】
なお、いずれの三点も、室内ユニット１の表示部１４を点滅させるとともに、リモコン１００の液晶表示部１０１にエアフィルター６１の洗浄又は交換の必要な時期を、必要な時期が来た時あるいは必要な時期が目前に迫った時に表示するようになっている。
【００５７】
次に、本発明の第２の実施例を図１４及び図１５を用いて説明する。本実施例は、次に述べる通り第１の実施例と相違するものであり、その他の点については第１の実施例と基本的には同一である。
【００５８】
本実施例において、酸素・水富化膜支持箱３２は、前面開口吸込み部４１のほかに、上面開口吸込み部４１Ａおよび側面開口吸込み部４１Ｂを形成し、酸素・水富化膜支持箱３２の吸込み通風面積を拡大している。エアフィルター６１は、吸込み開口部４１を塞ぐフィルター網６３の他に、上面開口吸込み部４１Ａおよび側面開口吸込み部４１Ｂを塞ぐ６３Ａ、６３Ｂが設けられている。フィルター網６３は前面に位置し、フィルター網６３Ａは上面に位置し、フィルター網６３Ｂは両側面に位置している。フィルター網６３、６３Ａ、６３Ｂは、フィルター面を構成するものであり、金属製又は耐候性樹脂製で網状に形成した山形網６５および平面網６４、６６にて構成され、フィルター枠６２内の全面に設けられている。
【００５９】
本実施例によれば、エアフィルター６１のフィルター面を複数面６３、６３Ａ、６３Ｂで構成し、空気流通面積を拡大しているので、エアフィルター６１の洗浄回数を低減することができ、これによってエアフィルター６１の洗浄頻度又は交換頻度が少なくなり、ランニングコストが安価な空気調和機を提供できる。
【００６０】
次に、本発明の第３の実施例を図１６及び図１７を用いて説明する。本実施例は、次に述べる通り第２の実施例と相違するものであり、その他の点については第２の実施例と基本的には同一である。
【００６１】
本実施例において、エアフィルター６１は、上面フィルター網６３Ａ及び側面フィルター網６３Ｂの奥行き寸法を小さくしてある。エアフィルター６１の頭部である６１ａは、エアフィルター６１の洗浄又は交換の必要性および交換方法を容易に消えない方法で明記するに十分な面積を有すると共に、上面フィルター網６３Ａを覆うに十分な面積を確保する構成にしてある。また、頭部６１ａは、室外ユニット７との空隙６１ｅにドライバーやコインを挿入して抉ることにより、フィルター側係止部６７と支持箱側係止部３２ａとを分離して、フィルター６１の着脱を可能にする構成にしてある。
【００６２】
上述した実施例によれば、次に記載する効果を奏する。
【００６３】
室内熱交換器３、４及び室内ファン５を有する室内ユニット１と、室外熱交換器１０、送風ファン９及び酸素・水富化装置３１を有する室外ユニット７とを備えた空気調和機２０において、酸素・水富化装置３１の吸い込み側に配設したエアフィルター６１と、エアフィルター６１の洗浄又は交換に関する情報を表示する表示部６１ａ、１４、１０１とを備え、表示部６１ａ、１４、１０１を空気調和機の外部から目視できる位置に設けているので、ユーザーが酸素・水富化装置のエアフィルター６１の洗浄や交換に関する情報を容易に確認することができる。具体的には、ユーザーにエアフィルター６１の洗浄又は交換の必要性を示し、かつ、交換方法を明示して注意を喚起できる。
【００６４】
さらに、エアフィルター６１に取手部６１ｂを形成し、この取手部６１ｂを室外ユニット７の外面より実質的に突出しないように設けたので、ユーザーにエアフィルター６１の洗浄又は交換の必要性を示し、かつ、交換方法を明示して注意を喚起できる。
【００６５】
さらに、エアフィルター６１のフィルター面６３を金属製又は耐候性樹脂で網状に形成したので、エアフィルター６１に付着したごみ・ほこり等を水または中性洗剤などで除去して繰り返し使用でき、ユーザーにとってランニングコストの安価な、かつ、取り扱い性の良いものとすることができる。
【００６６】
さらに、エアフィルター６１のフィルター面６３を山形形状またはひだ織り形状にして表面積を拡大したので、エアフィルター６１の洗浄回数をさらに低減することができ、ユーザーにとってエアフィルター６１の洗浄頻度又は交換頻度を少なくでき、ランニングコストが低く、かつ、取り扱い性の良いものとすることができる。
【００６７】
さらに、エアフィルター６１のフィルター面を前面及び隣接するその他の面からなる複数面で形成して空気流通面積を拡大したので、エアフィルター６１の洗浄回数をさらに低減することができ、ユーザーにとってエアフィルター６１の洗浄頻度又は交換頻度を少なくでき、ランニングコストが低く、かつ、取り扱い性の良いものとすることができる。
【００６８】
また、室内熱交換器３、４及び室内ファン５を有する室内ユニット１と、室外熱交換器１０、送風ファン９及び酸素・水富化装置３１を有する室外ユニット７とを備えた空気調和機２０において、酸素・水富化装置３１の吸い込み側に配設したエアフィルター６１と、酸素・水富化装置３１の利用状態に基づいてエアフィルター６１の洗浄又は交換の必要時期を算出する制御装置１２０と、制御装置１２０で算出した必要時期を室内ユニット１及び運転用リモコン１００の少なくとも一つに表示する表示部１４、１０１とを備えているので、ユーザーが酸素・水富化装置３１のエアフィルター６１の洗浄や交換に必要な時期を室内側から容易に確認することができる。
【００６９】
さらには、減圧ポンプ４４の運転積算時間に基づいてエアフィルター６１の洗浄又は交換の必要時期を制御装置１２０で算出して表示部１４、１０１に表示するようにしているので、エアフィルター６１の汚れを直接検知する高価なセンサー等を不要とすることができる。
【００７０】
さらには、酸素・水富化装置３１に通風する送風ファン９の運転積算時間に基づいてエアフィルター６１の洗浄又は交換の必要時期を制御装置１２０で算出して表示部１４、１０１に表示するようにしているので、エアフィルター６１の汚れを直接検知する高価なセンサー等を不要とすることができる。
【００７１】
さらには、減圧ポンプ４４の運転積算時間、酸素・水富化装置３１に通風する送風ファン９の運転積算時間及び予め設定した所定時間のいずれか短い方を基準としてエアフィルター６１の洗浄又は交換の必要時期を制御装置１２０で算出して表示部１４、１０１に表示するようにしているので、エアフィルター６１の汚れを直接検知する高価なセンサー等を不要とすることができると共に、エアフィルター６１の洗浄又は交換の必要時期をより早く把握することができる。
【００７２】
また、室内熱交換器３、４及び室内ファン５を有する室内ユニット１と、室外熱交換器１０、送風ファン９及び酸素・水富化装置３１を有する室外ユニット７と、酸素・水富化装置３１から室内ユニット１に酸素富化空気を供給する酸素供給パイプ４６とを備えた空気調和機２０において、室内ファン５の運転に実質的に同期して酸素・水富化装置３１を運転するように制御する制御装置１２０を備えているので、エアフィルター６１の汚れを直接検知する高価なセンサー等を不要とすることができる。
【００７３】
また、室内熱交換器３、４及び室内ファン５を有する室内ユニット１と、室外熱交換器１０、送風ファン９及び酸素・水富化装置３１を有する室外ユニット７と、酸素・水富化装置３１から室内ユニット１に酸素富化空気を供給する酸素供給パイプ４６とを備えた空気調和機において、室内ユニット１に導かれた酸素供給パイプ４６を室内ユニット１内で切替弁４７を介して複数の吐出部４８ａ、４８ｂに分岐し、分岐された複数の吐出部４８ａ、４８ｂを室内ユニット１の異なる位置に開口させているので、酸素・水富化装置３１の酸素富化空気をユーザーの利用目的に合わせて供給できる。
【００７４】
さらには、強制スイッチ１０３の設定に基づいて切替弁４７の切替え位置を制御する制御装置１２０を備えているので、強制スイッチを操作することにより、任意の吐出口に酸素富化空気を供給でき、ユーザーが任意な時に任意な場所で酸素濃度及び湿度の高い空気や、あるいは酸素濃度の高い乾燥した空気のみや、あるいは室内を加湿できる酸素濃度の高い空気を利用できると共に、室内の任意の場所の寝台等にて酸素濃度の高い空気を浴びることや吸うことができる。
【００７５】
また、室内熱交換器３、４及び室内ファン５を有する室内ユニット１と、室外熱交換器１０、送風ファン９及び酸素・水富化装置３１を有する室外ユニット７と、酸素・水富化装置３１から室内ユニット１に酸素富化空気を供給する酸素供給パイプ４６とを備えた空気調和機２０において、酸素供給パイプ４６の吐出口を室内ユニット１内で室内熱交換器３の吸込み側に位置して設けているので、冷房運転時に吐出口より酸素富化空気とともに吐出された空気中の水分が低温である室内熱交換器３に凝縮して除去され、酸素濃度の高い乾燥した空気のみが室内に吐出されると共に、暖房運転時に吐出口より酸素富化空気とともに吐出された空気中の水分が高温である室内熱交換器３に凝縮されることなく通過し、酸素濃度の高い加湿された空気が室内に吐出される。従って、冷房運転及び暖房運転のそれぞれに適した酸素富化空気の供給ができる。
【００７６】
また、室内熱交換器３、４及び室内ファン５を有する室内ユニット１と、室外熱交換器１０、送風ファン９及び酸素・水富化装置３１を有する室外ユニット７と、酸素・水富化装置３１から室内ユニット１に酸素富化空気を供給する酸素供給パイプ４６とを備えた空気調和機において、酸素供給パイプ４６の吐出口を室内ユニット１の通風路を除く部分の外面に開口して設けているので、暖房運転時に吐出口より酸素濃度の高い空気を供給できると共に、室内を加湿できる。
【００７７】
さらには、酸素供給パイプの吐出口に継パイプ係合部を形成すると共に、前記継パイプ係合部に係合可能な継パイプを備えているので、室内各部に届く継パイプをすることにより、室内の任意の場所の寝台等にて酸素濃度の高い空気を浴びることや吸うことができる。
【００７８】
さらには、酸素・水富化装置３１を室外ユニット７内で室外熱交換器１０に通風する室外ファン９と室内熱交換器１０との間の通風路中に設置しているので、室外ユニット７のコンパクト化を阻害しないで酸素・水富化装置３１を設置することができる。
【００７９】
【発明の効果】
以上の説明から明らかなように、本発明によれば、ユーザーが酸素・水富化装置のエアフィルターの洗浄や交換を容易に視認することができる空気調和機を得ることができる。
【００８０】
また、本発明によれば、空気調和機を利用するユーザーが酸素・水富化装置のエアフィルターの洗浄や交換に必要な時期を室内側から容易に確認することができる空気調和機を得ることができる。
【００８１】
また、本発明によれば、安価な構成で酸素・水富化装置の運転を良好に制御できる空気調和機を得ることができる。
【００８２】
また、本発明によれば、酸素・水富化装置の酸素富化空気を利用目的に合わせて供給できる空気調和機を得ることができる。
【００８３】
また、本発明によれば、冷房運転及び暖房運転のそれぞれに適した酸素富化空気の供給ができる空気調和機を得ることができる。
【図面の簡単な説明】
【図１】本発明の第１の実施例の空気調和機の構成図である。
【図２】図１の空気調和機の室内ユニットの使用状態の一例の縦断面概略図である。
【図３】図１の空気調和機の室内ユニットの斜視図である。
【図４】図１の空気調和機の室外ユニットの斜視図である。
【図５】図１の空気調和機の室外ユニットの室外キャビネットを取外した状態の斜視図である。
【図６】図１の空気調和機の室外ユニットの酸素・水富化装置部の断面図である。
【図７】図６の酸素・水富化装置の要部断面拡大図である。
【図８】図６の酸素・水富化装置のエアフィルターの斜視図である。
【図９】図８のエアフィルターの要部断面概略図である。
【図１０】図８のエアフィルターの係止状態を示す要部断面図である。
【図１１】図８のエアフィルターの離脱状態を示す要部断面図である。
【図１２】図１の空気調和機の制御装置の構成図である。
【図１３】図１の空気調和機の制御を行なうリモコンの斜視図である。
【図１４】本発明の第２の実施例の空気調和機の室外ユニットの酸素・水富化装置部の断面図である。
【図１５】図１４の酸素・水富化装置のエアフィルターの斜視図である。
【図１６】本発明の第３の実施例の空気調和機の室外ユニットの酸素・水富化装置部の断面図である。
【図１７】図１４の酸素・水富化装置のエアフィルターの斜視図である。
【符号の説明】
１…室内ユニット、１ａ…吸込口、１ｂ…吹出口、２…壁、３、４…室内熱交換器、５…室内ファン、６…ドレン受け、７…室外ユニット、８…圧縮機、９…送風ファン、１０…室外熱交換器、１１…冷媒配管、１２…ドレンパイプ、１３…制御箱、１４…表示部（表示灯）、１５…酸素スイッチ１、１６…酸素吐出口、１７…表示部、２０…空気調和機、２１…室内キャビネット、２２…室外キャビネット、３１…酸素・水富化装置、３２…酸素・水富化膜支持箱、３３…エアフィルター支持部、３５…酸素・水富化膜ユニット、３６…酸素・水富化膜、３７…多孔質支持板、４１…前面開口吸込み部、４１Ａ…上面開口吸込み部、４２…後面開口吐出し部、４３…酸素供給パイプ、４４…減圧ポンプ、４５…循環ファン、４６…酸素供給パイプ、４７…切替弁、４８ａ、４８ｂ…酸素吐出部、４９…導入管、５０…継パイプ、６０…エアフィルター装置、６１…エアフィルター、６１ｂ…取手部、６２…フィルター枠、６３…フィルター網、６５…山形網、６８…係止具、１００…運転用リモコン、１０１…液晶表示部、１０２…酸素スイッチ、１０３…酸素スイッチ（強制スイッチ）、１２０…制御装置。
【図１】
2004218961.tif 000003
【図２】
2004218961.tif 000004
【図３】
2004218961.tif 000005
【図４】
2004218961.tif 000006
【図５】
2004218961.tif 000007
【図６】
2004218961.tif 000008
【図７】
2004218961.tif 000009
【図８】
2004218961.tif 000010
【図９】
2004218961.tif 000011
【図１０】
2004218961.tif 000012
【図１１】
2004218961.tif 000013
【図１２】
2004218961.tif 000014
【図１３】
2004218961.tif 000015
【図１４】
2004218961.tif 000016
【図１５】
2004218961.tif 000017
【図１６】
2004218961.tif 000018
【図１７】
2004218961.tif 000019